(57)【要約】【課題】ピストンと圧縮室との間のこじりを防止することによって、高信頼性化と高効率化を達成することができる密閉型圧縮機を提供する。【解決手段】密閉型圧縮機は、密閉容器内に収容される圧縮要素１０５が、主軸部１１１および偏心軸部１１２を有するシャフト１１０と、軸受部１２０と、圧縮室１１５を有するシリンダブロック１１４と、コンロッドとを備え、ピストン１２３の軸心を示す第１の中心線１４１とピン穴１２４の軸心を示す第２の中心線１４２とのなす角度をαとし、設定値をβとしたとき、下記（数１）で表されるαをピン穴１２４の軸心の角度の設計値とする。【数１】2010242589.tif 000016【選択図】図４
2010242589.tif 000002
【特許請求の範囲】
【請求項１】
密閉容器内に電動要素と前記電動要素によって駆動される圧縮要素とを収容した密閉型圧縮機であって、前記圧縮要素は、前記電動要素によって回転駆動される主軸部および前記主軸部の一端に前記主軸部と一体運動するように形成された偏心軸部を有するシャフトと、前記シャフトの前記主軸部を軸支することによって片持ち軸受を形成する軸受部と、前記軸受部に対して、一定の位置に固定されるように配置され、略円筒形の圧縮室を形成するシリンダブロックと、前記圧縮室の内部に往復動可能に挿設され、ピン穴を有するピストンと、前記ピン穴に挿入固定されたピストンピンと、前記偏心軸部と前記ピストンピンとを連結し、大端穴部と小端穴部を有するコンロッドとを備え、前記ピストンの軸心を示す第１の中心線と前記ピン穴の軸心を示す第２の中心線とのなす角度をαとし、あらかじめ設定した値をβとしたとき、下記（数１）で表される前記αを前記ピン穴の軸心の角度の設計値とし、前記軸受部と前記主軸部のクリアランスに基づく前記軸受部に対する前記シャフトの傾きの絶対値がγであるとき、前記βと前記γとが下記（数２）を満足する関係にあり、さらに前記圧縮室は、前記ピストンが上死点に位置する側から下死点に位置する側に向かって内径寸法が増大するように形成されたテーパ部を有し、前記テーパ部に前記ピストンの外周面が沿って摺動するときの前記ピストンの軸心と前記圧縮室の軸心とのなす角度をδとしたとき、前記βと前記δと前記γが下記（数３）を満足する関係にある密閉型圧縮機。
【数１】
2010242589.tif 000011
【数２】
2010242589.tif 000012
【数３】
2010242589.tif 000013
【請求項２】
ピストンが上死点に位置するとき、前記ピストンの圧縮室側の上端部に対応する位置にテーパ部に隣接して形成されたストレート部を有する請求項１に記載の密閉型圧縮機。
【請求項３】
βとδとγが下記（数４）を満足する関係にある請求項１または２に記載の密閉型圧縮機。
【数４】
2010242589.tif 000014
【請求項４】
βとδとが下記（数５）を満足する関係にある請求項３に記載の密閉型圧縮機。
【数５】
2010242589.tif 000015
【請求項５】
ピストンが下死点に位置するとき、少なくとも前記ピストンの一部がシリンダブロックから露出するように形成されている請求項１から４のいずれか一項に記載の密閉型圧縮機。
【請求項６】
ピストンは、組み立てられるときに上下が判別できるように上下方向に非対称となるように形成されている請求項１から５のいずれか一項に記載の密閉型圧縮機。
【請求項７】
請求項１から６のいずれか一項に記載の密閉型圧縮機を搭載した冷凍装置。
【発明の詳細な説明】
【技術分野】
【０００１】
本発明は、冷凍冷蔵庫などの冷凍サイクルに用いられる密閉型圧縮機および冷凍装置に関する。
【背景技術】
【０００２】
近年、冷凍冷蔵庫などの冷凍装置に使用される密閉型圧縮機については、消費電力を低減させるための高効率化の他に、低騒音化や、高信頼性化が望まれている。この種の従来の密閉型圧縮機として、コンロッドとピストンの連結部への給油方法を改善することにより、効率や信頼性を向上させたものがある（例えば、特許文献１参照）。
【０００３】
以下、図面を参照しながら上記従来の密閉型圧縮機について説明する。
【０００４】
図８は、特許文献１に記載された従来の密閉型圧縮機の縦断面図であり、図９は、図８の要部の拡大断面図、図１０は、図８の要部の断面図である。
【０００５】
図８ないし図１０に示すように、密閉容器１内には、固定子２と回転子３とを備えた電動要素４と、電動要素４によって駆動される圧縮要素５とが収容され、さらに、密閉容器１内の底部に潤滑油６が貯留されている。シャフト１０は、主軸部１１と、この主軸部１１と一体運動するようにその一端に偏心して形成された偏心軸部１２とを有し、このうち、主軸部１１が回転子３の軸心に固定されている。
【０００６】
シリンダブロック１４は、互いに一定の位置に固定されるように配置された略円筒形の圧縮室１５と、軸受部２０とを有している。圧縮室１５にはピストン２３が往復動可能に挿設されている。
【０００７】
ピストン２３には、偏心軸部１２と平行になるようにピストンピン２５が装着されている。軸受部２０は、シャフト１０の主軸部１１における偏心軸部１２側の端部を軸支することによって片持ち軸受を形成している。
【０００８】
コンロッド２６は大端穴部２８と、小端穴部２９と、ロッド部３０とで構成されており、大端穴部２８は偏心軸部１２に嵌装され、小端穴部２９はピストンピン２５に連結され、これによって偏心軸部１２とピストン２３とが連結される。また、小端穴部２９の内壁には、ピストンピン２５と小端穴部２９とが小端穴部２９の軸方向中央近傍で接触した場合に、小端穴部２９の軸方向の両端部にそれぞれ隙間ができるように凸面状の球面部３１が形成されている。
【０００９】
シャフト１０の内部には給油通路３５が設けられ、この給油通路３５の偏心軸部１２側の端部に散油管３６が挿着されている。また、主軸部１１の偏心軸部１２とは反対側の端部、すなわち下端部４０は、給油通路３５に潤滑油６が所定の深さまで浸入するように延出している。
【００１０】
以上のように構成された密閉型圧縮機について、以下にその動作を説明する。
【００１１】
電動要素４の回転子３はシャフト１０を回転させ、偏心軸部１２の回転運動が、コンロッド２６を介して、ピストン２３に伝えられ、これによって、ピストン２３は圧縮室１５内を往復運動する。ピストン２３の往復運動により、冷却システム（図示せず）から冷媒ガスが圧縮室１５内へ吸入され、圧縮された後、再び冷却システムに吐き出される。
【００１２】
給油通路３５の下端部は、シャフト１０の回転によりポンプ作用をするようになっており、このポンプ作用により、密閉容器１の底部の潤滑油６は、給油通路３５を通って、上方に汲み上げられる。給油通路３５の上部に至った潤滑油６は、矢印Ｘに示したように、散油管３６の上部から遠心力により密閉容器１内の全周方向へ水平に飛散し、その一部はピストンピン２５やピストン２３などに供給されて潤滑を行う。
【００１３】
また、小端穴部２９の内壁は凸面状の球面部３１となっているので、コンロッド２６を上下にこじる力が生じても、球面部３１の接触部分がずれることにより、ピストンピン２５と小端穴部２９との局所的なこじりを防ぐことができ、さらに、ピストンピン２５と小端穴部２９の摺動部に多量の潤滑油６を供給することができることになり、高信頼性化、および高効率化が達成される。
【００１４】
また、圧縮機構にレシプロ式を採用した密閉型圧縮機では、内径が円筒形の圧縮室１５を形成するシリンダブロック１４と、この圧縮室１５内を往復運動する外径が円筒形のピストン２３と、このピストン２３に、ピストンピン２５を介して、シャフト１０の偏心軸部１２を連結するコンロッド２６とを備え、電動機部の回転子３の軸心にシャフト１０を固定し、回転子３の回転により圧縮機構を作動させるものが知られている。
【００１５】
このような密閉型圧縮機では、圧縮室１５の内径と往復運動するピストン２３の外径とが摺動するための隙間が必要であり、この隙間が大きいものでは圧縮室１５内で圧縮された高温、高圧の冷媒ガスが漏れるブローバイが発生して圧縮効率が低下し、この隙間を小さくすると摺動損失が増加して圧縮効率が低下する関係にある。
【００１６】
そこで、ピストン２３が上死点に位置する側から下死点に位置する側に向かって内径寸法が増大するように形成された圧縮室１５を用いた密閉型圧縮機が提案されている。
【００１７】
図１１（ａ），（ｂ）は下記の特許文献２に開示された密閉型圧縮機の圧縮部の断面図であり、このうち、図１１（ａ）はピストン２３が下死点にある状態を、図１１（ｂ）はピストン２３が上死点にある状態をそれぞれ示している。
【００１８】
図１１（ａ），（ｂ）において、シリンダブロック１４に設けた圧縮室１５内に往復動可能に挿設されたピストン２３には、ピストンピン２５を介して、コンロッド２６が連結されている。そして、図示省略のシャフトの偏心軸部の偏心運動により、コンロッド２６はピストン２３を図１１（ａ）に示す下死点位置と図１２（ｂ）に示す上死点位置とで往復するように駆動する。
【００１９】
コンロッド２６から見て圧縮室１５の反対側の端面に図示省略のバルブプレートが装着され、ピストン２３、シリンダブロック１４およびバルブプレートにより圧縮室１５が形成されている。
【００２０】
圧縮室１５は、ピストン２３が上死点に位置する側から下死点に位置する側に向かって、内径寸法がＤｔからＤｂ（＞Ｄｔ）に増加するテーパ部１７を持つように形成され、ピストン２３は、全長にわたって外径寸法が同一に形成されている。
【００２１】
この組み合わせにより、ピストン２３が図１１（ａ）に示す下死点位置から、冷媒ガスを圧縮する圧縮行程で上死点側に移行する途中の状態までは、圧縮室１５内の圧力はそれほど上昇しないので隙間は比較的大きくても潤滑油６によるシール効果で冷媒ガスの漏れであるブローバイはほとんど発生せず、ピストン２３の摺動抵抗も小さい。
【００２２】
さらに圧縮行程が進み、圧縮室１５内の冷媒ガスの圧力が次第に上昇してピストン２３が図１１（ｂ）に示す上死点位置に近接する状態では、圧縮室１５内の圧力は所定の吐出圧力まで上昇してブローバイが発生しやすい条件となるが、上死点側では隙間が小さくなることから潤滑油６によるシール効果が得られ、ブローバイの発生を低減することができる。
【００２３】
図１２は下記の特許文献３に開示された冷媒圧縮が可能な圧縮部の断面図であり、図１１（ａ），（ｂ）と同一の要素には同一符号を付してそれらの説明を省略する。
【００２４】
ここで、圧縮室１５は、ピストン２３が上死点に位置する側から下死点に位置する側に向かって、内径寸法がＤｔからＤｂ（＞Ｄｔ）に増加するテーパ部１７と、上死点に近接するピストン２３の圧縮室１５側の端部に対応する位置に、長さＬの区間だけ内径寸法が軸方向に一定に形成されたストレート部１８とを持つように形成され、ピストン２３は、全長にわたって外径寸法が同一に形成されている。
【００２５】
この組み合わせにより、圧縮行程で上死点側に移行する途中の状態までは、ブローバイはほとんど発生せず、ピストン２３の摺動抵抗も小さくなり、さらに圧縮行程が進みピストン２３が上死点位置に近接する状態では、全長にわたってテーパ部１７を形成する場合よりも、ガス圧の増大に伴う冷媒ガスのガス漏れの発生を低減することができる。
【特許文献１】特開平０９−３１７６４４号公報
【特許文献２】特開２００２−８９４５０号公報
【特許文献３】特表平７−５５０８３３号公報
【発明の開示】
【発明が解決しようとする課題】
【００２６】
しかしながら、上述した従来の密閉型圧縮機においては、冷媒ガスを圧縮する圧縮荷重が作用したときに発生するピストン２３と圧縮室１５の内壁１５ａとの間のこじりを防ぐには不十分であった。
【００２７】
図１０に示した要部の断面図を用いて、ピストン２３と圧縮室１５の内壁１５ａとの間にこじりが発生することを説明する。
【００２８】
図１０に示したように、冷媒ガスの圧縮行程でピストン２３に発生する圧縮荷重Ｆがコンロッド２６を介して偏心軸部１２に作用する。圧縮荷重Ｆが偏心軸部１２に作用したとき、主軸部１１と軸受部２０との間にクリアランスが存在するため、シャフト１０は軸受部２０の軸心を基準として、軸受部２０内で主軸部１１が最大に傾斜し得る角度γは傾き、偏心軸部１２も主軸部１１の軸心を基準として角度Δγは傾くことになり、圧縮室１５と軸受部２０との間の軸心の相対角度も変化する。
【００２９】
そのため、ピストン２３は、図１０に示したように、その軸心が傾くことになる。
【００３０】
上述した従来の密閉型圧縮機は小端穴部２９の内壁を凸面状にすることで、ピストン２３の傾きを抑制するものの、ピストン２３と圧縮室１５の内壁１５ａとの間に発生するこじりを防ぐことはできなかった。
【００３１】
ピストン２３と圧縮室１５の内壁１５ａとの間に発生するこじりによって、ピストン２３が圧縮室１５の内壁１５ａと摺動する摺動面の一部、すなわち、図中ｐで示した上端面の縁の一部の面圧が局部的に増大する。このため、小端穴部２９の内壁を凸面状にした従来の密閉型圧縮機であっても、ピストン２３の摩耗が早まったり、摩耗量が大きくなったり、摺動損失が大きくなるという、解決しなければならない課題を有していた。
【００３２】
また、特許文献２および３に開示された従来の構成の圧縮部では、ピストン２３が下死点位置に戻ったときでも、ピストン２３の全体が圧縮室１５の円筒形孔部１６の内部に納まった状態にあるため、潤滑を必要とする円筒形孔部１６とピストン２３の間に潤滑油６が十分に供給され難いという課題を有していた。
【００３３】
さらに、ピストン２３が上死点位置に近接して隙間が小さくなる状態で潤滑油６が押し出されてしまい、次に下死点位置で隙間が大きくなった際に隙間を封止する潤滑油６が不足するため、ブローバイの発生が抑え難くなるとともに、潤滑油６の不足により摺動抵抗が増大するという課題を有していた。
【００３４】
本発明は上記の課題を解決するもので、ピストンと圧縮室との間のこじりの発生を防止することによって、ピストンの摩耗を抑制するとともに、摺動損失を軽減し、より一層の高信頼性化と高効率化を達成することができる密閉型圧縮機を提供することを目的とする。
【００３５】
さらに、本発明は、上記の問題点を解決するもので、シリンダブロックとピストンとの間により多くの潤滑油が供給されるとともに、その潤滑油が良好に保持され、さらに、ピストンが上死点位置に近接した状態での摺動抵抗を軽減することにより、高効率化を達成することができる密閉型圧縮機を提供することを目的とする。
【課題を解決するための手段】
【００３６】
上記従来の課題を解決するために、本発明は、シャフトの主軸部を軸支することによって片持ち軸受を形成する軸受部と、略円筒形の圧縮室を形成するシリンダブロックと、圧縮室の内部に往復動可能に挿設され、ピン穴を有するピストンと、ピン穴に挿入固定されたピストンピンとを備え、ピストンの軸心を示す第１の中心線とピン穴の軸心を示す第２の中心線とのなす角度をαとし、あらかじめ設定した値をβとしたとき、下記（数１）で表されるαをピン穴の軸心の角度の設計値とし、軸受部と主軸部のクリアランスに基づく軸受部に対するシャフトの傾きの絶対値がγであるとき、βとγとが下記（数２）を満足する関係にあり、さらに圧縮室は、ピストンが上死点に位置するとき、ピストンの圧縮室側の上端部に対応する部位に形成され、内径寸法が軸方向に一定であるストレート部と、ストレート部に隣接してピストンが上死点に位置する側から下死点に位置する側に向かって内径寸法が増大するように形成されたテーパ部とを有し、テーパ部にピストンの外周面が沿って摺動するときのピストンの軸心と圧縮室の軸心とのなす角度をδとしたとき、βとδとγが下記（数３）を満足する関係としたものであり、ピストンと圧縮室との間のこじりを防止するという作用を有するとともに、シリンダブロックとピストンとの間により多くの潤滑油が供給されるとともに、その潤滑油が良好に保持され、さらに、ピストンが上死点位置に近接した状態での摺動抵抗を軽減することができるという作用を有する。
【００３７】
【数１】
2010242589.tif 000003
【００３８】
【数２】
2010242589.tif 000004
【００３９】
【数３】
2010242589.tif 000005
【発明の効果】
【００４０】
本発明に係る密閉型圧縮機は、前記ピストンの軸心を示す第１の中心線とピン穴の軸心を示す第２の中心線とのなす角度をαとし、あらかじめ設定した値をβとしたとき、上記（数１）で表されるαをピン穴の軸心の角度の設計値とし、圧縮室のテーパ部にピストンの外周面が沿って摺動するときのピストンの軸心と圧縮室の軸心とのなす角度をδとしたとき、βとδとγが上記（数３）を満足する関係とすることで、設定した値βと値δの合計値を、軸受部と主軸部のクリアランスに基づく軸受部に対するシャフトの傾きの絶対値γと関連付けて実際の値に近づけるようにしたので、ピストンと圧縮室との間のこじりを防止することができ、これによって、ピストンの摩耗低減による高信頼性化と、摺動損失軽減による高効率化を達成することができる。
【００４１】
また、上記密閉型圧縮機を搭載することによって、冷凍装置としても高効率化を達成することができる。
【発明を実施するための最良の形態】
【００４２】
請求項１に記載の発明は、密閉容器内に電動要素と前記電動要素によって駆動される圧縮要素とを収容した密閉型圧縮機であって、前記圧縮要素は、前記電動要素によって回転駆動される主軸部および前記主軸部の一端に前記主軸部と一体運動するように形成された偏心軸部を有するシャフトと、前記シャフトの前記主軸部を軸支することによって片持ち軸受を形成する軸受部と、前記軸受部に対して、一定の位置に固定されるように配置され、略円筒形の圧縮室を形成するシリンダブロックと、前記圧縮室の内部に往復動可能に挿設され、ピン穴を有するピストンと、前記ピン穴に挿入固定されたピストンピンと、前記偏心軸部と前記ピストンピンとを連結し、大端穴部と小端穴部を有するコンロッドとを備え、前記ピストンの軸心を示す第１の中心線と前記ピン穴の軸心を示す第２の中心線とのなす角度をαとし、あらかじめ設定した値をβとしたとき、上記（数１）で表される前記αを前記ピン穴の軸心の角度の設計値とし、前記軸受部と前記主軸部のクリアランスに基づく前記軸受部に対する前記シャフトの傾きの絶対値がγであるとき、前記βと前記γとが上記（数２）を満足する関係にあり、さらに前記圧縮室は、前記ピストンが上死点に位置する側から下死点に位置する側に向かって内径寸法が増大するように形成されたテーパ部を有し、前記テーパ部に前記ピストンの外周面が沿って摺動するときの前記ピストンの軸心と前記圧縮室の軸心とのなす角度をδとしたとき、前記βと前記δと前記γが上記（数３）を満足する関係としたもので、ピストンと圧縮室との間のこじりを防止することができ、これによって、ピストンの摩耗低減による高信頼性化と、摺動損失軽減による高効率化とを達成することができる。
【００４３】
請求項２に記載の発明は、請求項１に記載の発明において、ピストンが上死点に位置するとき、前記ピストンの圧縮室側の上端部に対応する位置にテーパ部に隣接して形成されたストレート部を有するもので、圧縮行程が進みピストンが上死点位置に近接する状態で、ガス圧の増大に伴う冷媒ガスのガス漏れの発生を低減することができるため、請求項１に記載の発明の効果に加えてより一層、高効率化を達成することができる。
【００４４】
請求項３に記載の発明は、請求項１または２に記載の発明において、βとγとが下記（数４）を満足する関係にあるもので、ピストンと圧縮室との間のこじりをより確実に防止することができ、請求項１または２に記載の発明の効果に加えてより一層、ピストンの摩耗低減による高信頼性化と、摺動損失軽減による高効率化とを達成することができる。
【００４５】
【数４】
2010242589.tif 000006
【００４６】
請求項４に記載の発明は、請求項３に記載の発明において、βとδとが下記（数５）を
満足する関係にあるもので、ピストンと圧縮室との間のこじりをより確実に防止することができ、請求項３に記載の発明の効果に加えてより一層、ピストンの摩耗低減による高信頼性化と、摺動損失軽減による高効率化とを達成することができる。
【００４７】
【数５】
2010242589.tif 000007
【００４８】
請求項５に記載の発明は、請求項１から４のいずれかの一項に記載の発明において、ピストンが下死点に位置するとき、少なくとも前記ピストンの一部がシリンダブロックから露出するように形成されているもので、ピストンが下死点近傍に位置するときのピストンと圧縮室との間のこじりを防止することができ、請求項１から４のいずれか一項に記載の発明の効果に加えてさらに、ピストンの摩耗低減による高信頼性化と、摺動損失軽減による高効率化とを達成することができる。
【００４９】
請求項６に記載の発明は、請求項１から５のいずれか一項に記載の発明において、ピストンは、組み立てられるときに上下が判別できるように上下方向に非対称となるように形成されているもので、ピストンの上下方向の組み間違いを防止でき、請求項１から５のいずれか一項に記載の発明の効果を確実に達成することができる。
【００５０】
請求項７に記載の発明は、請求項１から６のいずれかの一項の密閉型圧縮機を搭載したものであり、効率の高い冷凍装置を提供することができる。
【００５１】
以下、本発明の実施の形態について、図面を参照しながら説明する。なお、この実施の形態によってこの発明が限定されるものではない。
【００５２】
（実施の形態１）
図１は、本発明の実施の形態１における密閉型圧縮機の縦断面図、図２は、同実施の形態における圧縮荷重が作用しないときの要部の拡大断面図、図３は、同実施の形態における圧縮荷重が作用するときの要部の拡大断面図、図４は同実施の形態におけるピストンとピン穴との位置関係を示す要部の断面図、図５は、同実施の形態における圧縮室近傍の要部の断面図であり、ピストンが下死点に位置する状態を示している。
【００５３】
なお、図１ないし図４では圧縮室は概要のみを示し、圧縮室の詳細形状については図５で示している。
【００５４】
また、図６は、同実施の形態に基づいて行った実験の結果を示す特性図であり、図７は、同実施の形態における圧縮室近傍の要部の断面図であり、ピストンがテーパ部に沿って摺動している状態を示している。
【００５５】
図１ないし図３において、密閉容器１０１内には、固定子１０２と回転子１０３とを備えた電動要素１０４と、電動要素１０４によって駆動される圧縮要素１０５とが収容され、さらに、密閉容器１０１内の底部に潤滑油１０６が貯留されている。
【００５６】
シャフト１１０は、主軸部１１１と、この主軸部１１１と一体運動するようにその一端に偏心して形成された偏心軸部１１２とを有し、このうち、主軸部１１１が回転子１０３の軸心に固定されている。シャフト１１０の内部や表面には給油通路１１３が設けられ、その下端部は、給油通路１１３に潤滑油１０６が所定の深さまで浸入するように延出している。
【００５７】
シリンダブロック１１４は、互いに一定の位置に固定されるように配置された略円筒形の圧縮室１１５と軸受部１２０とを備え、軸受部１２０は、シャフト１１０の主軸部１１１における偏心軸部１１２側の端部を軸支することによって片持ち軸受を形成している。
【００５８】
圧縮室１１５にはピストン１２３が往復動可能に挿設されている。ピストン１２３にはピン穴１２４が形成され、ピン穴１２４にピストンピン１２５が挿入されて固定されている。
【００５９】
ここで、ピストン１２３およびバルブプレート１５０と共に圧縮室１１５を形成するようにシリンダブロック１１４に設けられた円筒形孔部１１６は、図５に示すように、ピストン１２３が上死点に位置する側から、下死点に位置する側に向かって、内径寸法がＤｔからＤｂ（＞Ｄｔ）に増加するテーパ部１１７と、上死点に達したピストン１２３の圧縮室１１５側の端部に対応する位置に、長さＬの区間だけ内径寸法が軸方向に一定であるストレート部１１８とを持つように形成され、ピストン１２３は、全長にわたって外径寸法が同一に形成されている。
【００６０】
シリンダブロック１１４には、図５に示すように、ピストン１２３が下死点に位置する状態で、このピストン１２３の反圧縮室１１５側が露出するように、円筒形孔部１１６の周壁の一部、すなわち上方壁部１１９が切り欠かれている。
【００６１】
コンロッド１２６は図２、図３に示すように、大端穴部１２８と、小端穴部１２９と、ロッド部１３０とで構成されており、大端穴部１２８は偏心軸部１１２に嵌装され、小端穴部１２９は、ピストンピン１２５を介して、ピストン１２３に連結され、これによって偏心軸部１１２とピストン１２３とが連結される。
【００６２】
本実施の形態１が図８ないし図１２に示した従来の密閉型圧縮機と異なる点は、冷媒ガスを圧縮する圧縮荷重が作用したとき、シャフト１１０の傾きに起因してコンロッド１２６も傾くが、このコンロッド１２６の傾きに対応させて、ピン穴１２４の軸心を傾けて形成するとともに、さらに圧縮室１１５を形成する円筒形孔部１１６にテーパ部１１７を形成したことにある。
【００６３】
まず、ピン穴１２４の傾きの状態を、図２、図３を用いて説明する。圧縮荷重が作用しない場合に、圧縮室１１５の軸心Ｄに対して、ピン穴１２４の軸心を傾けて形成したピストン１２３の軸心Ｃの状態を図２の拡大断面図で示し、圧縮荷重が作用した場合に、圧縮室１１５の軸心Ｄとピストン１２３の軸心Ｃが合致するようになるピストン１２３の状態を図３の拡大断面図で示している。
【００６４】
ピン穴１２４の傾きについては、図４に示したように、ピストン１２３の軸心を示す第１の中心線１４１とピン穴１２４の軸心を示す第２の中心線１４２とのなす角度αを、従来の密閉型圧縮機ではαは下記（数６）であるのに対して、本実施の形態では、あらかじめ設定した値をβとしたとき、αは上記（数１）としている。
【００６５】
【数６】
2010242589.tif 000008
【００６６】
次に、圧縮室１１５を形成する円筒形孔部１１６にテーパ部１１７とストレート部１１８を形成する構成を詳細に説明する。
【００６７】
テーパ部１１７にピストン１２３の外周面が沿って摺動するときのピストン１２３の軸心を示す第１の中心線１４１と、圧縮室１１５の軸心１５２とのなす角度をδとしたとき
、図５、図７に示すように、テーパ部１１７と圧縮室１１５の軸心１５２とのなす角度がδに相当する。
【００６８】
以上のように構成された密閉型圧縮機について、以下にその動作、作用を説明する。
【００６９】
電動要素１０４の回転子１０３はシャフト１１０を回転させ、偏心軸部１１２の回転運動が、コンロッド１２６を介して、ピストン１２３に伝えられ、これによって、ピストン１２３は圧縮室１１５内を往復運動する。ピストン１２３の往復運動により、図示省略の冷却システムから冷媒ガスが圧縮室１１５内へ吸入され、圧縮された後、再び冷却システムに吐き出される。
【００７０】
給油通路１１３の下端部は、シャフト１１０の回転によりポンプ作用をするようになっており、このポンプ作用により、密閉容器１０１の底部の潤滑油１０６は、給油通路１１３を通って、上方に汲み上げられ、密閉容器１０１内の全周方向へ水平に飛散し、ピストンピン１２５やピストン１２３などに供給されて潤滑を行う。
【００７１】
片持ち軸受では、冷媒ガスを圧縮するときの圧縮荷重を、シャフト１１０の偏心軸部１１２に対して片側の主軸部１１１のみで軸支するため、シャフト１１０は主軸部１１１と軸受部１２０のクリアランス内で傾く。
【００７２】
このため、軸受部１２０のクリアランス内で傾いたシャフト１１０の主軸部１１１の軸心１４４と、圧縮室１１５の軸心Ｄとの相対角度がπ／２［ｒａｄ］よりも小さくなる。
【００７３】
このシャフト１１０の傾きによるピストン１２３の圧縮室１１５に対するこじりを防止するために、本実施の形態では、ピストン１２３の軸心を示す第１の中心線１４１とピン穴１２４の軸心を示す第２の中心線１４２との相対角度をπ／２［ｒａｄ］よりも僅かに大きくしている。
【００７４】
図３、図４において、ピストン１２３の軸心を示す第１の中心線１４１とピン穴１２４の軸心を示す第２の中心線１４２との交点をＯとし、軸受部１２０と主軸部１１１のクリアランスに基づく軸受部１２０の軸心１４５に対する主軸部１１１の軸心１４４の傾きの絶対値をγとし、あらかじめ設定した値をβとしたとき、ピストン１２３の軸心を示す第１の中心線１４１とピン穴１２４の軸心を示す第２の中心線１４２との相対角度αが上記（数１）と下記（数７）を満たすようにピン穴１２４を形成している。
【００７５】
【数７】
2010242589.tif 000009
【００７６】
また、上述の通りシャフト１１０の傾きによるピストン１２３の圧縮室１１５に対するこじりを防止すると同時に、さらに、圧縮行程で上死点側に移行する途中の状態まで摺動損失を低く抑え、ピストン１２３が上死点位置に近接する状態では、冷媒ガスの圧力増大に伴うガス漏れの発生を防止するために、本実施の形態では、圧縮室１１５を形成する円筒形孔部１１６に、ピストン１２３が上死点に位置するとき、ピストン１２３の圧縮室１１５側の上端部に対応する部位に形成され、内径寸法が軸方向に一定であるストレート部１１８と、ストレート部１１８に隣接してピストン１２３が上死点に位置する側から下死点に位置する側に向かって内径寸法が増大するように形成されたテーパ部１１７とを備えている。
【００７７】
そして、そのテーパ部１１７にピストン１２３の外周面が沿って摺動するときのピスト
ン１２３の軸心を示す第１の中心線１４１と、圧縮室１１５の軸心１５２とのなす角度δに、上記あらかじめ設定した値βを加算した値は、下記（数８）を満たすようにピン穴１２４を形成している。
【００７８】
【数８】
2010242589.tif 000010
【００７９】
設定値βや、設定値βとテーパ部１１７の設定角度δを加算した値は、シャフト１１０の傾きの絶対値γに関係付ける具体的な値として実験値を採用することができる。図６はピン穴１２４の軸心の角度を変えたピストン１２３を用意し、これらのピストン１２３を組み込んだ密閉型圧縮機の効率を測定した結果である。
【００８０】
すなわち、ピストン１２３の軸心を示す第１の中心線１４１に対するピン穴１２４の軸心を示す第２の中心線１４２のπ／２からの拡がり角度であるβとテーパ部１１７の角度δとの加算値（β＋δ）をシャフト１１０の傾きの絶対値γで割った無次元数を横軸にとり、それぞれの角度に対する効率ＣＯＰを縦軸にとって、各測定値を２次曲線で近似した特性図である。
【００８１】
ここで、横軸の値が０における効率は、従来の密閉型圧縮機でテーパ部１１７が無い仕様での平均値を示しており、本実験でのクリアランスによるシャフト１１０の傾きの絶対値γは約３．７×１０−４［ｒａｄ］であった。
【００８２】
図６より、（β＋δ）／γの値が約１〜３．２の範囲（Ａ）で効率が最も高くなり、（β＋δ）／γの値が約０．３〜４の範囲（Ｂ）で、従来の密閉型圧縮機よりも効率が高くなることが分かる。
【００８３】
したがって、ピストン１２３の軸心を示す第１の中心線１４１に対するピン穴１２４の軸心を示す第２の中心線１４２の角度を上記（数１）で表されるαとしたとき、βとγとが上記（数２）を満足する関係とすることが好ましく、同時に、ピストン１２３の外周面がテーパ部１１７に沿って摺動するときのピストン１２３の軸心を示す第１の中心線１４１と圧縮室１１５の軸心１５２とのなす角度をδとしたとき、βとδとγが上記（数３）を満足する関係とすること好ましく、βとδとγが上記（数４）を満足する関係とすることが最適であると結論付けられる。
【００８４】
ここで、ピストン１２３の軸心を示す第１の中心線１４１に対するピン穴１２４の軸心を示す第２の中心線１４２の角度をπ／２［ｒａｄ］よりも大きくする効果と、圧縮室１１５のコンロッド１２６側にテーパ部１１７を設ける効果について考察する。
【００８５】
まず、ピストン１２３の軸心を示す第１の中心線１４１に対するピン穴１２４の軸心を示す第２の中心線１４２の角度をπ／２［ｒａｄ］よりも大きくする効果については、片持ち軸受で、冷媒ガスを圧縮するときの圧縮荷重により軸受部１２０のクリアランス内でのシャフト１１０の傾きにより、ピストン１２３の圧縮室１１５に対するこじりを防止することができると考えられる。
【００８６】
しかしながら、ピストン１２３が圧縮室１１５内を往復動する際に、ピストン１２３の外周面と圧縮室１１５の内周壁との摺動により、摺動損失は比較的大きいものとなってしまう。
【００８７】
このピストン１２３の外周面と圧縮室１１５の内周壁との摺動損失を低減するためには
、本発明の実施例では、圧縮室１１５の上死点側に、内径寸法が軸方向に一定であるストレート部１１８を設け、さらに圧縮室１１５のコンロッド１２６側に、上死点側から下死点側に向かって内径寸法が増大するように形成されたテーパ部１１７を設けている。
【００８８】
これにより、圧縮行程で上死点側に移行する途中の状態までは、ブローバイはほとんど発生せず、ピストン１２３の摺動抵抗（摺動損失）も小さくなり、さらに圧縮行程が進みピストン１２３が上死点位置に近接する状態では、全長にわたってテーパ部１１７を形成する場合よりも、ガス圧の増大に伴う冷媒ガスのガス漏れの発生を低減することができると考えられる。
【００８９】
ここで、圧縮行程においては、テーパ部１１７にピストン１２３の外周面が沿って摺動することがあると考えられ、図７の圧縮室近傍の要部の断面図に示すように、ピストン１２３の外周面が重力方向下方のテーパ部１１７に沿って摺動した場合、圧縮室の軸心１５２に対するピストン１２３の軸心を示す第１の中心線１４１の傾きは、（β＋δ）になるため、値βだけでなく、テーパ部１１７の角度値δも考慮して、軸受部１２０と主軸部１１１のクリアランスに基づく軸受部１２０に対するシャフト１１０の傾きの絶対値γとの関係で最適化することができると考えられる。
【００９０】
また、テーパ部１１７の角度値δだけを考慮して、軸受部１２０と主軸部１１１のクリアランスに基づく軸受部１２０に対するシャフト１１０の傾きの絶対値γとの関係で設計しても、圧縮室１１５の上死点側に内径寸法が軸方向に一定であるストレート部１１８を設けた場合は、ストレート部１１８とピストン１２３との摺動においては、軸受部１２０に対するシャフト１１０の傾きに起因する、ピストン１２３と圧縮室１１５との間のこじりを防止することはできない。
【００９１】
また、ピストン１２３の軸心を示す第１の中心線１４１に対するピン穴１２４の軸心を示す第２の中心線１４２の角度を従来の密閉型圧縮機と同様にπ／２［ｒａｄ］としたまま、軸受部１２０と主軸部１１１のクリアランスに基づく軸受部１２０に対するシャフト１１０の傾きの絶対値γとの関係でテーパ部１１７の角度値δを設計した場合、テーパ部１１７の角度値δが大きいと、圧縮室１１５内でピストン１２３の挙動が不安定となって騒音が増大したり、ピストン１２３と圧縮室１１５間の潤滑油１０６の保持が不足して冷媒ガスの漏れが増大したりする可能性が高くなる。
【００９２】
逆に、テーパ部１１７の角度値δが小さいと、ピストン１２３の外周面と圧縮室１１５の内周壁との摺動損失を低減する効果が小さくなる。
【００９３】
したがって、軸受部１２０に対するシャフト１１０の傾きに起因する、ピストン１２３と圧縮室１１５との間のこじりを防止するとともに、圧縮行程で上死点側に移行する途中の状態まではピストン１２３の摺動抵抗（摺動損失）を低減し、さらに圧縮行程が進みピストン１２３が上死点位置に近接する状態ではガス圧の増大に伴う冷媒ガスのガス漏れの発生を低減するためには、ピストン１２３の軸心を示す第１の中心線１４１に対するピン穴１２４の軸心を示す第２の中心線１４２の角度をπ／２［ｒａｄ］よりも大きくするとともに、同時に圧縮室１１５のコンロッド１２６側にテーパ部１１７を設けることで、課題を補い合い相乗的な効果が得られると推察する。
【００９４】
そして、単に、ピストン１２３の軸心を示す第１の中心線１４１に対するピン穴１２４の軸心を示す第２の中心線１４２の角度をπ／２［ｒａｄ］よりも大きくするとともに、圧縮室１１５のコンロッド１２６側にテーパ部１１７を設けるだけでは、お互いの有する課題を補い合うことはできず、ピストン１２３の軸心を示す第１の中心線１４１に対するピン穴１２４の軸心を示す第２の中心線１４２の角度値αとテーパ部１１７の角度値δの
両者を考慮して、βとδとγが上記（数４）を満足する関係とし、軸受部１２０と主軸部１１１のクリアランスに基づく軸受部１２０に対するシャフト１１０の傾きの絶対値γと関連付けて実際の値に近づけるようにすることで、実現できるものであると結論付ける。
【００９５】
このとき、さらに、βとδとが上記（数５）を満足する関係とすることで、よりその効果が大きくなり、従来の密閉型圧縮機よりも一層信頼性が向上し、効率が高くなるとの実験結果を得ている。
【００９６】
以上のように、ピストン１２３の軸心を示す第１の中心線１４１とピン穴１２４の軸心を示す第２の中心線１４２とのなす角度をαとし、あらかじめ設定した値をβとしたとき、上記（数１）で表されるαをピン穴１２４の軸心の角度の設計値とし、圧縮室１１５のテーパ部にピストン１２３の外周面が沿って摺動するときのピストン１２３の軸心を示す第１の中心線１４１と圧縮室１１５の軸心とのなす角度をδとしたとき、βとδとγが上記（数３）を満足する関係とすることで、設定した値βと値δの合計値を、軸受部１２０と主軸部１１１のクリアランスに基づく軸受部１２０に対するシャフト１１０の傾きの絶対値γと関連付けて実際の値に近づけるようにしたので、ピストン１２３と圧縮室１１５との間のこじりを防止することができ、これによって、ピストン１２３の摩耗低減による高信頼性化と、摺動損失軽減による高効率化を達成することができる。
【００９７】
また、本実施の形態の片持ち軸受において、ピストン１２３が下死点に位置するとき、少なくともピストン１２３の一部がシリンダブロック１１４から露出するように形成されており、具体的には、ピストン１２３の軸方向の全長に対して１／３以上が露出するように形成されている。
【００９８】
吸入行程の後半や圧縮行程の初期などにおいて、ピストン１２３の端面１２３ａに冷媒ガスの圧力に起因する圧縮荷重があまり作用しない際には、シャフト１１０は主軸部１１１と軸受部１２０のクリアランス内でさほど大きくは傾かないため、軸受部１２０の軸心を示す第１の中心線１４１と圧縮室１１５の軸心を示す第２の中心線１４２との相対角度をπ／２［ｒａｄ］よりも僅かに大きくすることで、ピストン１２３と圧縮室１１５との間のこじりが大きくなり、摺動損失の増大が懸念される。
【００９９】
しかしながら、本実施の形態においては、ピストン１２３が下死点に位置するとき、少なくともピストン１２３の軸方向の全長に対して１／３以上が露出するように形成され、こじりが発生するピストン１２３の軸方向長さが短く形成されることで、ピストン１２３と圧縮室１１５との間のこじりを抑制することができる。
【０１００】
したがって、ピストン１２３が下死点近傍に位置するときにおいても、ピストン１２３と圧縮室１１５との間のこじりを防止することができ、これによって、ピストン１２３の摩耗低減による高信頼性化と、摺動損失軽減による高効率化とを達成することができる。
【０１０１】
また、ピストン１２３は、組み立てられるときに上下が判別できるように上下方向に非対称となっている。具体的には、判別孔１４６がピストン１２３上部に形成されており、この判別孔１４６が上側になるように組み立てることで、ピストン１２３が上下反対に組み立てられることを防止できる。したがって、ピストン１２３と圧縮室１１５との間のこじりを防止する効果を確実に達成することができる。
【０１０２】
なお、本発明の実施の形態においては、ピストン１２３が上死点に位置するとき、ピストン１２３の圧縮室１１５側の上端部に対応する圧縮室１１５の内周壁に形成され、内径寸法が軸方向に一定であるストレート部１１８を備えた例で説明したが、ストレート部１１８が無くテーパ部１１７だけを形成した場合でも、圧縮室１１５からの冷媒ガスの漏れ
が増大し効率が低下する傾向にあるものの、軸受部１２０と主軸部１１１のクリアランスに基づく軸受部１２０に対するシャフト１１０の傾きの絶対値γと関連付けて実際の値に近づけるように設計することは可能である。
【産業上の利用可能性】
【０１０３】
以上のように、本発明に係る密閉型圧縮機は、高信頼性化と高効率化とを達成することが可能となるので、エアーコンディショナーや自動販売機等の冷凍サイクルを用いた機器に用いられる密閉型圧縮機にも幅広く適用することができる。
【図面の簡単な説明】
【０１０４】
【図１】本発明の実施の形態１における密閉型圧縮機の縦断面図
【図２】同実施の形態における圧縮荷重が作用しないときの要部の拡大断面図
【図３】同実施の形態における圧縮荷重が作用するときの要部の拡大断面図
【図４】同実施の形態におけるピストンとピン穴との位置関係を示す要部の断面図
【図５】同実施の形態における圧縮室近傍の要部の断面図
【図６】同実施の形態に基づいて行った実験の結果を示す特性図
【図７】同実施の形態における圧縮室近傍の要部の断面図
【図８】従来の密閉型圧縮機の縦断面図
【図９】図８の要部の拡大断面図
【図１０】図８の要部の断面図
【図１１】他の従来の密閉型圧縮機の圧縮部の断面図
【図１２】他の従来の密閉型圧縮機の圧縮部の断面図
【符号の説明】
【０１０５】
１０１  密閉容器
１０４  電動要素
１０５  圧縮要素
１１０  シャフト
１１１  主軸部
１１２  偏心軸部
１１４  シリンダブロック
１１５  圧縮室
１１７  テーパ部
１１８  ストレート部
１２０  軸受部
１２３  ピストン
１２４  ピン孔
１２５  ピストンピン
１２６  コンロッド
１２８  大端穴部
１２９  小端穴部
１４１  第１の中心線
１４２  第２の中心線
【図２】
2010242589.tif 000017
【図３】
2010242589.tif 000018
【図４】
2010242589.tif 000019
【図６】
2010242589.tif 000020
【図１】
2010242589.tif 000021
【図５】
2010242589.tif 000022
【図７】
2010242589.tif 000023
【図８】
2010242589.tif 000024
【図９】
2010242589.tif 000025
【図１０】
2010242589.tif 000026
【図１１】
2010242589.tif 000027
【図１２】
2010242589.tif 000028